(57)【特許請求の範囲】
【請求項１】
経路（Ａ）に沿って給送されるパッケージ材からなるチューブ（３）によって食品の密封パッケージを製造するためのシール用顎状掴み具（１）であり、当該シール用顎状掴み具（１）は、前記パッケージ材を把持し且つ前記経路（Ａ）と交差しているシール用ストリップ（６）を形成するために対向顎状掴み具（２）上の第二の作用面（２９）と相互作用する第一の作用面（２８）を備えており、前記顎状掴み具及び対向顎状掴み具（１，２）のうちの一方（１）はアンビル（９）を規定しており、他方（２）は前記アンビル（９）と相互作用して前記ストリップ（６）を形成する加熱装置（８）を規定しており、
前記第一の面（２８）が、
−各々の第一の軸線（Ｘ）に沿って延びている少なくとも２つの突出部（３５，３６；３６，３６；３６，３７）であって、前記ストリップ（６）を形成するときに、前記パッケージ材の各々の領域を前記第二の面（２９）に対して圧縮する少なくとも第一の数の突出部（３５，３６；３６，３６；３６，３７）と、
−前記第一の軸線（Ｘ）のうちの一つに沿って伸長しており、前記第一の軸線（Ｘ）に交差する第二の軸線（Ｙ）に沿った２つの連続した突出部（３５，３６；３６，３６；３６，３７）の間に設けられており、前記第一の作用面（２８）の中心面（Ｐ）に関して横断して配置されている、少なくとも第一の数のキャビティ（４０）と、を備え、
前記突出部（３５，３６，３７）のうちの少なくとも第一の突出部（３６）が２つの湾曲した第一の壁（４４）によって規定され、
前記第一の壁（４４）のうちの少なくとも一つが、各々の前記第一の軸線（Ｘ）に直角な第二の面で断面されたときに、第一の半径と第一の角度の第一の円弧からなり、
前記空洞（４０）が湾曲した凹状輪郭（４１）を有し、
前記凹状輪郭（４１）が、前記第一の軸線（Ｘ）に直角な面で断面されたときに、第二の半径と第二の角度との少なくとも第二の円弧の形態である、顎状掴み具であって、
前記第一の半径が０．１ｍｍ〜０．３ｍｍの範囲内にあり、
前記第二の円弧形態が前記空洞（４０）の底部を規定しており、前記第二の半径が０．１ｍｍ〜０．４ｍｍの範囲内であり、
前記第二の軸線（Ｙ）に沿って測定した前記突出部（３５，３６，３７）同士の間と前記空洞（４０）同士の間の距離が、０．５〜２．５ｍｍの範囲内である、ことを特徴とする顎状掴み具。
【請求項２】
前記第一の面（２８）を規定している前記アンビル（９）を備えており、前記対向顎状掴み具（２）が前記第二の面（２９）を規定している前記加熱装置を備えている、ことを特徴とする請求項１に記載の顎状掴み具。
【請求項３】
前記第一の突出部（３６）が、前記第一の突出部（３６）の頂部を規定しており且つ前記第二の軸線（Ｙ）に沿って前記第一の壁（４４）同士の間に設けられている平らな第二の壁（４３）を備えている、ことを特徴とする請求項１又は２に記載の顎状掴み具。
【請求項４】
前記第二の角度が前記第一の角度よりも大きい、ことを特徴とする請求項１〜３のいずれか一項に記載の顎状掴み具。
【請求項５】
前記第二の半径が前記第一の半径よりも大きい、ことを特徴とする請求項１〜４のいずれか一項に記載の顎状掴み具。
【請求項６】
前記凹状輪郭（４１）が、前記第一の壁（４４）の少なくとも１つに隣接しており、前記凹状輪郭（４１）と前記少なくとも１つの第一の壁（４４）とが、前記第一の軸線（Ｘ）に平行な共通の区分に各々の正接面を有している、ことを特徴とする請求項１〜５のいずれか一項に記載の顎状掴み具。
【請求項７】
前記突出部（３５，３６，３７）のうちの第二の突出部（３５）が、前記中心面（Ｐ）と前記第一の突出部（３６）との間に設けられており、前記中心面（Ｐ）から１つの前記第一の突出部（３６）に向かって、前記第二の突出部（３５）は、平らな第三の壁（４２）と、該第三の壁（４２）に対して傾斜しており且つ前記第二の突出部（３５）の頂部を規定している第四の壁（４３）と、湾曲した第五の壁（４４）とによって規定されている、ことを特徴とする請求項１〜６のいずれか一項に記載顎状掴み具。
【請求項８】
前記突出部（３５，３６，３７）のうちの第三の突出部（３７）が、前記中心面（Ｐ）に関して前記第一の突出部（３６）と反対側に配置され且つ前記反対側の前記第一の突出部（３６）の側から前記中心面（Ｐ）まで延びていて、前記第三の突出部（３７）は、湾曲した第六の壁（４４）と、該第三の突出部（３７）の頂部を規定している平らな第七の壁（４６）と、該第七の壁（４６）に対して傾斜している平らな第八の壁（４５）とによって規定されている、ことを特徴とする請求項７に記載の顎状掴み具。
【請求項９】
前記第一の数の前記空洞（４０）が、前記第二の軸線（Ｙ）に沿って等間隔で隔てられ且つ各々が前記突出部（３５，３６；３６，３６；３６，３７）のうちの２つの連続した突出部同士の間に設けられている、ことを特徴とする請求項１〜８のいずれか一項に記載の顎状掴み具。
【請求項１０】
第二の数の前記突出部（３５，３６，３７）と第二の数の前記空洞（４０）とを特徴としており、前記第一の数及び第二の数が、前記面（２６）の前記中心面（Ｐ）の各々の両側に配置されている、ことを特徴とする請求項１〜９のいずれか一項に記載の顎状掴み具。
【請求項１１】
前記第一の軸線（Ｘ）同士が平行であり、前記第二の軸線（Ｙ）が前記第一の軸線（Ｘ）に直角であり、前記第二の軸線（Ｙ）が、前記顎状掴み具（１）と前記対向顎状掴み具（２）とが前記パッケージ材を把持し且つ前記ストリップ（６）を形成するときに、前記経路（Ａ）に平行である、ことを特徴とする請求項１〜１０のいずれか一項に記載顎状掴み具。
【請求項１２】
垂直経路（Ａ）に沿って給送され、食品を連続的に充填され、等間隔断面で把持されるパッケージ材のチューブ（３）によって、食品の密封パッケージを製造するための包装機であり、
請求項１〜１１のいずれか一項に記載の顎状掴み具（１）と前記対向顎状掴み具（２）とを備えており、これらの顎状掴み具が相互に協働して、前記断面において、多数の前記ストリップ（６）に沿って前記チューブ（３）を構成しているパッケージ材をシールする、ことを特徴とする包装機。
【発明の詳細な説明】
【技術分野】
【０００１】
本発明は、食品の密封パッケージを製造するためのシール用顎状掴み具に関する。
【背景技術】
【０００２】
公知の通り、フルーツジュース、殺菌ミルク又はＵＨＴ殺菌（超高温処理された）ミルク、ワイン、トマトソース等のような多くの食品は、殺菌されたパッケージ材によって作られたパッケージで販売されている。
【０００３】
このタイプのパッケージの典型的な例は、テトラブリックアセプティック（登録商標）として知られている液体又は流し込み可能な食品のための平行六面体形状のパッケージであり、該パッケージは、ラミネートされたストリップ状のパッケージ材を折り畳み且つシールすることによって作られる。
【０００４】
パッケージ材は、多層構造を有しており、該多層構造は、繊維材料、例えば、紙又は鉱物充填ポリプレン材料の層によって規定されている堅牢性及び強度のための基層と、基層の両面を覆っている熱シールプラスチック材料例えばポリエチレンフィルムからなる多層の層からなる。
【０００５】
ＵＨＴミルクのような長期貯蔵製品のための無菌パッケージの場合には、パッケージ材はまた、気体及び光に対するバリアー材料例えばアルミホイール又はエチルビニルアルコール（ＥＶＯＨ）フィルムの層をも有しており、該バリアー層は、熱シールプラスチック材の層上に重ねられ、次いで、最終的に食品と接触するパッケージの内面を形成している熱シールプラスチック材料の別の層によって覆われる。
【０００６】
公知の通り、この種のパッケージは、連続しているチューブが巻き取りパッケージ材によって形成される全自動包装機上で製造される。更に特定すると、パッケージ材からなる巻取り材料が、リールから繰り出され且つ包装機上の無菌チャンバ内を給送される。包装機内で、該パッケージ材の巻き取り材料は、公知のやり方で、例えば、過酸化水素のような殺菌剤を適用されることによって殺菌され、続いて該パッケージ材が加熱され且つ／又は適当な波長及び強度の放射線に曝されることによって蒸発せしめられ、殺菌された巻き取り材料は、閉塞されている滅菌雰囲気内に維持され、筒形状に折り畳まれ且つ長手方向に沿ってシールされて連続したチューブが形成される。
【０００７】
無菌チャンバの伸長部を形成するのに有効なパッケージ材からなるチューブは、垂直方向に給送され、殺菌され又は滅菌処理された食品を充填され、密封装置の中を給送されて、個々のパッケージが形成される。更に特定すると、密封装置においては、チューブは、多数の等間隔断面においてシールされ、横断シールストリップすなわちチューブの移動方向に対して直角に延びているシールストリップによって相互に結合された枕状のパックが形成され、該枕状のパックは相対的な横断シールストリップを切断することによって互いに分離され、折り畳みステーションへと運ばれ、該折り畳みステーションにおいて機械的に折り畳まれて個々の完成された平行六面体形状のパッケージが形成される。
【０００８】
包装機は、例えばヨーロッパ特許ＥＰ−Ｂ−０８８７２６５号に記載されているように公知であり、各々のエンドレス経路を規定しており且つそれぞれの数の封止用顎状掴み具が嵌め込まれている２つのチェーンコンベアを備えている。この２つの経路は、実質的に相互に対向しており且つ互いに平行である各々の分岐部を備えており、これらの分岐部の間にパッケージ材からなるチューブが給送されて、各々の経路の前記分岐部に沿って一つのコンベア上の顎状掴み具が他方のコンベア上の対応する顎状掴み具と協働して多数の連続している断面においてチューブを把持し且つパックをシールし且つ切断する。
【０００９】
多くの等間隔断面に沿ってチューブを把持し且つシール例えば熱シールするためにパッケージ材のチューブに対して交互に作用する２つの顎状掴み具の対を２つだけ備えている包装機もまた公知である。
【００１０】
ひとたびシール動作が完了すると、例えば各対内の顎状掴み具のうちの一方によって坦持されているカッターが作動せしめられ且つパッケージ材からなるチューブと相互作用して該パッケージ材をちょうどシールされた断面の中心線に沿って切断し、このようにして、パッケージ材からなるチューブの底端部から枕状のパックが切り離される。底端部は横断方向に沿ってシールされ、相対的な顎状掴み具は、下死点に達すると、チューブの頂部との干渉を避けるために開かれる。これと同時に、他方の顎状掴み具の対も、全く同じやり方で作動せしめられて上死点から下方へ動かされ、上記の把持／形成、シール及び切断のプロセスを繰り返す。
【００１１】
どちらのタイプの包装機においても、顎状掴み具の各対間に把持されたチューブ部分は、一般的には、顎状掴み具の一方の上に坦持されていて顎状掴み具間に把持された熱シールプラスチック材料の層を局部的に溶かす加熱装置によってシールされる。
【００１２】
現在においては、パッケージ材ファスナーを局部的により速く溶かし、従って出力を増大させるために、超音波シール装置が広く使用されている。
【００１３】
超音波シール装置は、例えばＥＰ−Ｂ−６１５９０７号に記載されているように、実質的に、機械的振動発生器又はソノトロード（超音波金型）とアンビルとを備えており、これらのソノトロードとアンビルとは、各々の顎状掴み具に備え付けられ且つ互いに協働して超音波振動によってパッケージ材を加熱する各々の面を有している。
【００１４】
更に特定すると、ソノトロードは、圧電材料からなる１以上のディスクによって振動せしめられるシール工具であり、ディスクは、交流電圧を供給され且つ実際の供給電圧又は供給電流に応じたエネルギの機械的な振動を発生する。
【００１５】
当該産業においては、シール段階におけるポリエチレンの泡又は塊の形成を避ける必要性が感じられている。この泡又は塊は、密封性を損ない、幾つかの場合には、バリアー層を穿制して長期在庫製品の滅菌性を損なうことさえある。
【００１６】
本発明の目的は、簡単且つ低廉な方法で上記の要件に適合するように設計されたシール用顎状掴み具を提供することである。
【００１７】
本発明に従って、特許請求の範囲の請求項１に記載されている食品の密封パッケージを製造するためのシール用顎状掴み具が提供されている。
【図面の簡単な説明】
【００１８】
以下、添付図面を参考にして、本発明の好ましい非限定的な実施例を例示的に説明する。
【図１】図１は、明確化のために部品が取り外された状態の、本発明によるシール用顎状掴み具と対応する対向顎状掴み具とを閉止状態で示した概略図である。
【図２】図２は、明確化のために部品が取り外された状態の、図１の顎状掴み具及び対向顎状掴み具の斜視図である。
【図３】図３は、図１及び２の顎状掴み具のアンビルの拡大斜視図である。
【図４】図４は、図３とは異なる角度から見た、図３のアンビルの一部分の拡大斜視図である。
【図５】図５は、図３のアンビルのＶ−Ｖ面の拡大断面図である。
【図６】図６は、図５の細部の拡大図である。
【実施例１】
【００１９】
図１及び２における符号１は、食品の密封パッケージを製造するための本発明による顎状掴み具全体を示している。
【００２０】
顎状掴み具１は、公知の装置（図示せず）によって垂直経路Ａに沿って給送されるパッケージ材のチューブ３によって食品の密封パッケージを製造するための包装機（図示せず）内に組み込むことができる。
【００２１】
顎状掴み具１は、殺菌ミルク又はＵＨＴミルク、フルーツジュース、ワイン、エンドウ豆、インゲン豆等のような注ぎ入れることができる食品の密封パッケージを製造するための包装機内に組み込まれるのが好ましい。
【００２２】
顎状掴み具１はまた、パッケージ製造段階で注ぎ入れることができ且つパッケージがシールされた後に固まる食品の密封パッケージを製造するための包装機に組み込むこともできる。このような食品の一つの例は、パッケージ製造段階で溶かされ且つパッケージが密封された後に固まるチーズの一部である。
【００２３】
チューブ３は、熱シールシート材料のウェブを長手方向に沿って折り畳み且つシールすることによる公知の方法で形成され、包装するための殺菌された又は滅菌処理された食品が連続的に下向きに充填される。
【００２４】
包装機は、特許第ＥＰ−Ｂ−６１５９０７号に図示され且つ記載されているタイプの２つのチェーンコンベアを備えている。該２つのチェーンコンベアは、各々のエンドレス経路を規定しており且つ各々の数のシール用顎状掴み具１とこれらに対応する対向顎状掴み具２とが備え付けられている。これらの経路は相対的にほぼ平行な分岐部を備えており、チューブ３が経路Ａに沿って該分岐部間へ給送され、各々の経路の前記分岐部に沿って、一方のコンベア上の顎状掴み具１が他方のコンベア上の対応する対向顎状掴み具２と協働して、多数の等間隔断面においてチューブ３を把持し、超音波シールし、切断するようになされている。
【００２５】
更に特定すると、各顎状掴み具１とこれに対応する対向顎状掴み具２とは、相互作用して、多くの等間隔の断面においてチューブ３をシールし、経路Ａに直角な各々のシール用ストリップ６（図１）によってチューブ３に結合されている複数の枕状のパック５を形成する。
【００２６】
ストリップ６が顎状掴み具１上のカッター２２によって切断されてパック５が分離される。
【００２７】
各対向顎状掴み具２とこれに対応する顎状掴み具１とは、チューブ３の両側に配置されており、機械的振動発生器又はソノトロード８とアンビル９とが各々備え付けられており、開放位置と閉止位置（図１及び２に示されている）との間を経路Ａに交差して動くことができ、閉止位置において、これらの顎状掴み具は、チューブ３を相対的な断面において把持し且つシールして相対的なシールストリップ６を形成する。
【００２８】
ソノトロード８（図１及び２において単に概略的に示されている）は、特許ＥＰ−Ｂ−６１５９０７に図示され且つ記載されているタイプの多数の並列超音波ヘッドを備えているのが好ましく、該超音波ヘッドは、対向顎状掴み具２の本体に堅牢に嵌合されている外側ケース１０内に収納されている。
【００２９】
極めて簡単に述べると、ソノトロード８は、圧電材料からなる１以上のディスクによって振動せしめられるシール工具であり、該ディスクは、交流電圧を供給され、実際の供給電圧に応じたエネルギの機械的振動を発生する。
【００３０】
各顎状掴み具１は、実質的に支持本体１１とアンビル９とからなる。
【００３１】
支持本体１１（図２）は、実質的に平らで且つ中央部分１４と２つの端部１５とを有している。各顎状掴み具１とこれに対応する対向顎状掴み具２との閉止位置においては、支持本体１１は経路Ａに平行な面内にあり、端部１５は経路Ａに平行な方向の長さが中央部分１４よりも大きい。
【００３２】
アンビル９は、カッター２２を収容している貫通台部２１（図１〜４）を規定している実質的に角柱状の主要本体２０と、各々中空円筒形態で且つ主要本体２０の両端に配置されている２つの端部２３とを備えている。
【００３３】
更に特定すると、主要本体２０（図３）は、
−顎状掴み具１と対応する対向顎状掴み具２とが閉止位置にあるときに、経路Ａに直角な各々互いに平行な面内にある２つの各々の頂壁２４と底壁２５と、
−壁２４と２５との間に交差して設けられており且つそれを貫通して台部２１が形成されている前方壁２６と、
−壁２４と２５との間に直角に設けられており且つ壁２６の両側に配置されており、それを貫通して同じく台部２１が形成されている更に別の壁２７（図５、６）と、を備えている。
【００３４】
更に特定すると、壁２６は、ソノトロード８の面２９（図１）と相互作用してチューブ３を把持し且つシールして相対的なストリップ６を形成する面２８（図５及び６）と、壁２７と平行で且つ面２８と壁２４，２５との間に設けられている２つの平らな面３０，３１とを備えている。
【００３５】
面２８は、壁２６の対称中心面Ｐに対して対称に延びており、面３０，３１は中心面Ｐの両側に配置されている。
【００３６】
更に特定すると、面Ｐは、面２８を２つの等しい部分３２，３３（図５）に分割しており、これらの部分３２，３３は、面２９の各々の半分と協働してストリップ６の各々の半分を形成する。
【００３７】
部分３２，３３は、台部２１と各々の面３０，３１との間に設けられている。
【００３８】
台部２１は、中心面Ｐと合致している対称面を有している。
【００３９】
カッター２２は、台部２１の内側に摺動可能な状態で収容されており、公知の作動装置（図示せず）によって制御されて、チューブ３を横断ストリップ６に沿って切断して、形成されたパック５をチューブ３から切り離す。
【００４０】
面２６（図４及び５）は、
−各々の軸線Ｘ（一方だけが図３，４，５，６に示されている）に沿って延びており且つパッケージ材の各々の領域を面２９に押し付ける多数の細長い突出部３５，３６，３７と、
−面Ｐの両側に配置されている軸線Ｘに対して平行に延びており且つ各々が軸線Ｘと交差している軸Ｙに沿って互いに隣接している突出部３５−３６，３６−３６，３６−３７の各対間に配置されている多数の細長い空洞４０と、を備えている。
【００４１】
更に特定すると、突出部３５，３６，３７は、相対的な顎状掴み具１とこれに対応する対向顎状掴み具２とが閉止位置にあるときに、経路Ａに向かって面３０，３１に対して突出している。
【００４２】
各部分３２，３３は、軸線Ａに沿って台部２１から相対的な面３０，３１までに亘って、
−突出部３５と、
−２つの突出部３６と交互で且つ軸線Ｙに沿って等間隔に隔てられている３つの空洞４０と、
−突出部３７と、を備えている。
【００４３】
軸線Ｙに沿って、各部分３２，３３の第一の空洞４０が、各々の突出部３５と各々の隣接している突出部３６との間に設けられており、第二の空洞４０が、各々の突出部３６間に設けられており、第三の空洞４０が、各々の隣接する突出部３６と各々の突出部３７との間に設けられている。
【００４４】
各空洞４０は、軸線Ｘに平行な軸線を有している半円筒形横断面の形態の凹状輪郭４１を有している。
【００４５】
言い換えると、軸線Ｘに対して直角に断面されたときに、各凹状輪郭４１は半円形状である。
【００４６】
各凹状輪郭４１は、軸線Ｘに平行な各々の底部の母線４９に関して対称である。更に特定すると、母線４９は、面３０，３１の共通面からある距離の面内にあり、相対的な顎状掴み具１とこれに対応する顎状掴み具２とが閉止位置にあるときにソノトロード８の面２９から最も遠い面２８の各点を規定している。
【００４７】
各部分３２，３３の空洞は、台部２１の各々の側面全体に配置されており、すなわち、面Ｐが交差していない。
【００４８】
各部分３２，３３の空洞４０もまた、軸線Ｙに沿って等距離だけ隔てられている。
【００４９】
台部２１から各々の隣接する空洞４０までに亘って、各突出部３５が、ある角度をなしている２つの平らな壁４２，４３と湾曲した壁４４とによって規定されている。
【００５０】
更に特定すると、壁４３は、平らであり且つ面Ｐに直角な各々の面内にあり、壁４２同士は、面Ｐに対して傾斜しており且つ各々の壁４３から台部２１に向かって相対的に集束している。
【００５１】
壁４４は、軸線Ｘに平行な各々の軸線を有する各々の円筒形の各々の横断面部分の形態である。
【００５２】
軸線Ｘ（図５及び６）に対して直角な各々の面で断面されたときに、壁４４の凹状輪郭は、１８０度未満の各々の円弧形状である。
【００５３】
各突出部３６は、２つの壁４４と、軸線Ｙに沿った壁４４同士の間に設けられている壁４３とによって規定されている。
【００５４】
更に特定すると、各突出部３６を規定している壁４４は、相対的な壁４３に関して対称であり且つ各々の互いに平行な隔置された軸線を有する円筒形の各々の横断面部分の形態である。
【００５５】
相対的な面３０，３１から隣接の空洞４０までに亘って、各突出部３７は、ある角度をなしている２つの平らな壁４５，４６と壁４４とによって規定されている。
【００５６】
更に特定すると、壁４５は、相対的な面３０，３１と相対的な壁４６との間に設けられており且つ相対的な面３０，３１から相対的な壁４６まで相対的に集束している。
【００５７】
各々の凹状輪郭４１を規定している第一の虚円筒形面の半径は、各々の壁４４を規定している第二の虚円筒形面の半径よりも大きい。
【００５８】
図示されている例においては、第一の面の各々の半径は、第二の面の各々の半径の１．５倍である。
【００５９】
本発明の一つの実施例においては、一つの各々の突出部３５，３６，３７の各々の壁４４を規定している少なくとも一つの第二の虚円筒形面の半径は、０．１〜０．３ｍｍの範囲内である。
【００６０】
突出部３７，３６；３６，３６；３６，３５間の少なくとも１つの空洞４０の凹状輪郭４１の半径は、０．１〜０．４ｍｍの範囲内であり、少なくともその底部は、突出部３５，３６，３７のピークから最も遠い距離にある。
【００６１】
更に、軸Ｙに沿って測定した隣接している突出部３５，３６；３６，３６；３６，３７の対応する点間又は互に隣接している空洞４０の対応する点間の距離は、０．５〜２．５ｍｍの範囲内であるのが好ましい。
【００６２】
特に、一つの各々の突出部３５，３６，３７の一つの各々の壁４４を規定している少なくとも一つの第二の虚円筒形面の半径は、０．２ｍｍであり、突出部３７，３６；３６，３６；３６，３５間の少なくとも１つの空洞４０の凹状輪郭４１の半径は、突出部３５，３６，３７のピークから最も大きな距離にある底部において０．３ｍｍであり、隣接している突出部３５，３６；３６，３６；３６，３７の対応する点間又は互に隣接している空洞４０の対応する点間の軸線Ｙに沿って測定した距離は、１．８ｍｍである。幾何学的に可能ならば、上に特定した範囲内での上記の半径の如何なる組み合わせも可能である。
【００６３】
突出部３５，３６，３７及び／又は空洞４０のこの設計は、パッケージ材に対する損傷が少ない。上で特定された半径は、シャープな端縁を単に丸くした結果ではなく、むしろシール用の顎状掴み具１の面の２８を意図的に且つ厳密に形成した結果である。
【００６４】
更に、突出部３５，３６，３７及びこれらに隣接している凹状輪郭４１は、角状先端及び／又は尖った端縁を避けるように相互に結合されている。
【００６５】
別の言い方をすると、各々の共通の区分において、凹状輪郭４１と壁４４とは合致している正接面を有している。
【００６６】
同様に、各々の共通の区分においては、壁４２−４３−４４，４４−４３−４４，４４−４６−４５もまた合致している正接面を有している。
【００６７】
壁４６は、軸線Ｙに沿った壁４３よりも長く且つ壁４３と同じ面内にある。
【００６８】
壁４３，４６は、各々の突出部３５，３６，３７の頂部、すなわち、相対する顎状掴み具１と対応する対向顎状掴み具２とが相対的に近づく方向に動かされたときに、面Ｐと平行な方向において面３０，３１から最も離れ且つソノトロード８の面２９に最も近い部分を規定している。
【００６９】
図５及び６に示されているように、軸線Ｘに直角な各々の面で断面したときに、面２８の各部分３２，３３は、形状が波形であり且つ相対的な面３０，３１から軸線Ｙに沿って面Ｐに向かって
−壁４５，４６に対応する第一の真直ぐな部分と、
−相対的な面３０，３１に対向しており且つ各々の壁４４に対応する各々の窪みを規定している多数の第二の部分と、
−該第二の部分と交互であり且つ相対的な面３０，３１から離れる方向に面し且つ各々の空洞４０の凹状輪郭４１に対応している各々の窪みを規定している多数の第３の部分と、
−突出部３５の各々の壁４３，４２に対応する第四の真直ぐな部分と、
を備えている。
【００７０】
軸線Ｘに直角な各々の面で断面したとき、各部分３２，３３はまた、第５の真直ぐな部分をも備えており、これら第５の部分の各々は、相対する突出部３６の第二の部分同士の間に設けられており且つ突出部３６の各々の壁４３に対応している。
【００７１】
更に特定すると、軸線Ｘ同士は互いに平行であり且つ壁２４，２５に平行であり、軸線Ｙは軸線Ｘに直角である。
【００７２】
顎状掴み具１とこれに対応する対向顎状掴み具２とが閉止位置にあるとき、軸線Ｙは経路Ａに平行であり、軸線Ｘは経路Ａに直角である。
【００７３】
顎状掴み具１は以下のように作動する。
【００７４】
２つのチェーンコンベアは、互いに反対方向に回転せしめられて、顎状掴み具１とこれに対応する対向顎状掴み具２とが、所定の運動の法則に従ってチューブ３と協働する。
【００７５】
１つの顎状掴み具１と対応する対向顎状掴み具２とに関する動作サイクルを以下において更に詳細に説明する。顎状掴み具１とこれに対応する対向顎状掴み具２とは全て、明らかに、出力速度に応じた時間間隔で同じサイクルを実行する。
【００７６】
顎状掴み具１とこれに対応する対向顎状掴み具２とは、前記の経路の所与部分に沿って開放位置から相互に合わせられ、チューブ３を徐々に変形させ且つ最終的には“平らにして”チューブ３の横断バンドを形成する。
【００７７】
閉止位置に達すると、顎状掴み具１とこれに対応する対向顎状掴み具２とは、チューブ３を把持し、面２８と２９とは相対的に押圧され、ソノトロード８は、パッケージ材を局部的に加熱し且つ溶かしてストリップ６を形成するように作動せしめられる。
【００７８】
更に特定すると、パッケージ材に対する圧力は、壁４３において最も大きく、壁４３から空洞４０の凹状輪郭４１の母線４９に向かって徐々に減少する。
【００７９】
ソノトロード８は、パッケージ材を、面２８及び２９によってパッケージ材にかけられる圧力に比例して加熱する。
【００８０】
従って、パッケージ材は、主として面２８の壁４３において溶かされ且つ面２８の空洞４０内へ移動する。
【００８１】
ひとたびストリップ６が形成されると、カッター２２が作動せしめられて横断ストリップ６に沿ってチューブ３を切断し、このようにして、形成されたパック５がチューブ３の残りの部分から切り離される。
【００８２】
顎状掴み具１とこれに対応する対向顎状掴み具２とは、次いで、経路Ａから開放位置へと移動せしめられてチューブ３が解放される。
【００８３】
本発明による顎状掴み具１の利点は、上記の説明から明らかであろう。
【００８４】
特に、交互に多数の突出部３５，３６，３７及び空洞４０を設けることによって、ストリップ６を形成するときにパッケージ材にかかる圧力が、壁４３における最大値から各々の空洞４０の底部の母線４９における最小値まで変化することが可能になる。
【００８５】
このようにして、パッケージ材は、突出部３５，３６，３７の表面積と空洞４０の表面積との合計に対応する特定の伸長領域に亘ってシールされる。
【００８６】
従って、パッケージ材料の一部分を形成する溶融されたポリエチレンは、泡又は塊を形成することなく密封段階で空洞４０内に自由に流れ込む。泡又は塊は、密封品質を損なう且つバリアー材料層を穿刺して長期貯蔵製品の殺菌性を損なうことさえある。
【００８７】
更に、面２８は、尖った端縁を有しておらず、パッケージ材は、ストリップ６をシールするときに受ける応力が極めて小さく、従って、パッケージ材を損傷させて完成されたパッケージの殺菌特性を損なう虞が少ない。
【００８８】
しかしながら、ここに説明し且つ図示した顎状掴み具１に特許請求の範囲から逸脱することなく変更を施すことができることは明らかである。
【００８９】
特に、突出部３５，３６，３７及び空洞４０は、アンビル９の面２８に対向しているソノトロード８の面２９によって規定されている。
【００９０】
包装機はチェーンコンベアを備えておらず且つ１つの顎状掴み具１とこれに対応する対向顎状掴み具２とからなる。顎状掴み具１と対応する対向顎状掴み具２とはチューブ３に交互に作用し、各々が、各々のガイドに沿って閉止位置と開放位置との間を動くことができ、チューブと周期的に且つ連続して相互作用してチューブのパッケージ材を熱シールする。
【００９１】
ソノトロード８の代わりに、対向顎状掴み具２は、種々の加熱装置例えば誘導加熱装置又は加熱された棒を備えた装置を有するシール装置を備え付けることができる。
【００９２】
最後に、顎状掴み具１は台部２１を備えていなくても良く、パック５は包装機の下流で切断しても良い。
【符号の説明】
【００９３】
Ａ  垂直経路
１  顎状掴み具
２  対応する対向顎状掴み具
３  パッケージ材のチューブ
５  パック
６  シール用ストリップ
２２  カッター
８  機械的振動発生器又はソノトロード
９  アンビル
１０  外側ケース
１１  支持本体
１４  中央部分
１５  端部
２０  主要本体
２１  台部
２３  端部
２４  頂壁
２５  底壁
２６  前方壁
２７  壁
２８  アンビルの面
２９  ソノトロード８の面
３０，３１  平らな面
Ｐ  対称中心面
３２，３３  部分
３５，３６，３７  突出部
４０  空洞
４１  凹状輪郭
４２，４３  平らな壁
４４  湾曲した壁
４６  壁
４９  底部の母線
【図１】
0005525514.tif 000002
【図２】
0005525514.tif 000003
【図３】
0005525514.tif 000004
【図４】
0005525514.tif 000005
【図５】
0005525514.tif 000006
【図６】
0005525514.tif 000007